(57)【要約】【課題】本発明の課題は、圧力調整弁、調整コックや圧力制御系を用いない簡単、且つ安価な構成でも、所定時間後に止血時緊迫解除が可能とすることで、忘れ放置の不具合を改善する止血時緊迫解除装置を提供する。【解決手段】本発明による止血時緊迫解除装置は、予め所望の圧力で流体を封止した流体バッグと、流体バッグを止血の為に人体に押し付けて緊迫状態としてから所望の時間経過後に、開閉弁の電気的開閉制御に寄らず、流体バッグの流体封止状態を解除することで緊迫状態を解除するものであって、流体バッグから流体を外気に漏らすための流体漏洩手段と、を有する。【選択図】図１
2018153448.tif 000002
【特許請求の範囲】
【請求項１】
予め所望の圧力で流体を封止した流体バッグと、前記流体バッグを止血の為に人体に押し付けて緊迫状態としてから所望の時間経過後に、開閉弁の電気的開閉制御に寄らず、前記流体バッグの流体封止状態を解除することで前記緊迫状態を解除するものであって、
前記流体バッグから前記流体を外気に漏らすための流体漏洩手段と、を有することを特徴とする止血時緊迫解除装置。
【請求項２】
前記流体バッグは封止部を有し、前記封止部は、
通常の外気温度よりは高い温度で融解する材料の封止膜と、
前記封止膜の上に被せられ、前記流体が通過する穴を備え、かつ、酸化により温度が上昇する材料で形成された酸化昇温膜と、
前記酸化昇温膜の上に被せられ、空気を遮断する（通さない）気密性膜と、
を備えたことで、
使用時に、前記気密性膜を剥がすと、前記酸化昇温膜が空気が触れて、前記酸化が始まり、前記酸化昇温膜が次第に昇温し、所望の時間が経過したところで、前記酸化昇温膜の温度、従って、前記酸化昇温膜に接触した前記封止膜が融解するほどの高温になることで、前記所望の時間経過後に前記封止膜が融解し、前記流体は漏洩し、前記緊迫状態の解除を可能としたことを特徴とする請求項１記載の止血時緊迫解除装置。
【請求項３】
前記流体漏洩手段は、前記所望の時間を計時するタイマーと、前記タイマーで駆動されたアームと、前記アーム又は前記アームに接続した部分又は及び前記流体バッグに備えて、前記タイマーによる前記所望の時間経過後に前記流体バッグの前記流体封止状態を解除する手段と、
を備えたことを特徴とする請求項１記載の止血時緊迫解除装置。
【請求項４】
前記流体封止状態を解除する手段は、前記アーム又は前記アームに接続した部分に備えた前記流体バッグを突き破る針であることを特徴とする請求項３記載の止血時緊迫解除装置。
【請求項５】
前記流体封止状態を解除する手段は、前記アーム又は前記アームに接続した部分に備えた第一磁石と、
外気側に第二磁石と、第二磁石に繋がり、第二磁石の動きとともに動き、前記流体バッグに開いた穴を開閉する閉鎖板と、第一磁石と第二磁石の間の反発力又は吸引力が前記閉鎖板を付勢する第二付勢体の付勢力に勝ることで、第一磁石と第二磁石が近い位置に来たときに前記閉鎖板が動き、前記流体バッグの前記流体が漏洩することを特徴とする請求項３記載の止血時緊迫解除装置。
【請求項６】
前記流体封止状態を解除する手段は、前記流体バッグに備え、通常の外気温度よりは高い温度で融解する材料の封止膜と、前記封止膜が融解する温度以上に加熱され前記アーム又は前記アームに接続した部分に備えた鏝と、を備え、前記鏝が接触すると前記封止膜が融解して破れ、前記流体が漏洩することを特徴とする請求項３記載の止血時緊迫解除装置。
【請求項７】
前記流体バッグは、前記流体を収納する複数の独立した袋を備えることで、一部の袋のみの前記流体の漏洩を可能としたことを特徴とする請求項１から請求項６のいずれか１つに記載の止血時緊迫解除装置。
【請求項８】
前記流体バッグの上面、又は及び下面に、使用者の生体との接触に応じて形状が変形する程度の固さを有する第一の形状保持膜を備えたことを特徴とする請求項１、請求項３、請求項４、請求項５、請求項７のいずれか１つに記載の止血時緊迫解除装置。
【請求項９】
前記流体バッグの上面、又は及び下面に、使用者の生体との接触に応じて形状が変形する程度の固さを有し、断熱機能を有することで、熱を人体に伝えない第二の形状保持膜を備えたことを特徴とする請求項２又は請求項６に記載の止血時緊迫解除装置。
【発明の詳細な説明】
【技術分野】
【０００１】
本発明は、透析などの医療行為において、圧迫止血の緊迫解除の装置に関するものである。
【背景技術】
【０００２】
透析などの医療行為の後では、出血を止めなければならないので、出血部やその近傍を圧迫して止血することが行われる。その場合、圧迫するための止血帯が使われるが、１０分、２０分などの圧迫の後では、止血が完了した場合は、止血帯を外し圧迫を解除する。
もし、圧迫を長く放置すると、血液循環系や体細胞に悪影響を及ぼすことになる。この管理を行うのは、医師や看護者であるが、忘れて放置されるおそれがある。
図７は、従来の止血装置の例を示す図である。
７−Ａは、特許文献１に見ることができる。伸縮性の織物帯１の両端に係止片を備えた止血帯でよく見るものである。この例では、忘れ放置の不具合に対応する対策はない。
７−Ｂは、特許文献２に見ることができる。止血帯を巻き締めるための回転ターンキー１１６が付いていて、手動のリリースボタンもついているが、定時間後に解除する機能は無いため、忘れ放置の不具合に対応する対策はない。７−Ｃは、特許文献３に見ることができる。帯体の所定位置に硬質ケースを取り付け、硬質ケース内部に逆止弁を介して流体を充填することで膨張するバルーンを備えている。忘れ放置の不具合に対応する対策はない。と同時に、逆止弁や、流体を充填するための機能のあるバルーン自体が高価になるため、勿体ないので使い捨てにできない欠点がある。７−Ｄは、特許文献４に見ることができる。
忘れ放置の不具合に対応するため、時間が分かるようにタイマーを止血帯に付けたものであるが、医師や看護者の常時監視のもとにないと、放置される欠点は排除できない。７−Ｅは、特許文献５に見ることができる。止血帯には注入口５を介して膨張部３に流体を入れることができ、膨張部３には、圧迫用突起４がある。忘れ放置の不具合に対応する対策はない。高価になるため、使い捨てにできない欠点がある。７−Ｆは、特許文献６に見ることができる。帯体２に流体を注入することで拡張するバルーン５と書き込み可能な着用時間表示手段がある。これは、医師から看護師に着用時間を申し送りする手段であり、忘れ放置の不具合に対応する対策はない。７−Ｇは、特許文献７に見ることができる。押圧止血装置は、加圧バッグと加圧手段と加圧解放手段と残留圧力制御手段を備えている。所望の時間の経過により、加圧解放と残留圧力を制御できる。電気的制御の系統や、圧力調整弁、調整コックなど制御の為に高価な設備構成になるため、同時に複数の患者が使用する場合、人数分の設備が必要であり、高価なことが設備的に不都合である。故に、このような圧力調整弁、調整コックや圧力制御系を用いずに簡単、且つ安価な構成で忘れ放置の不具合に対応する対策することが望まれ、そのことで、複数の患者数にも対応が可能となる。
【先行技術文献】
【特許文献】
【０００３】
【特許文献１】特開２０１３−８５５８０
【特許文献２】特表２００７−５０８０４７
【特許文献３】特開平７−２００１４２
【特許文献４】実用新案登録第３０８７７４３
【特許文献５】実用新案登録第３０７８９８５
【特許文献６】特開２０１２−２９９３８
【特許文献７】特許第２７１３１１６号
【発明の概要】
【発明が解決しようとする課題】
【０００４】
本発明の課題は、圧力調整弁、調整コックや圧力制御系を用いない簡単、且つ安価な構成でも、所定時間後に止血時緊迫解除が可能とすることで、忘れ放置の不具合を改善する止血時緊迫解除装置を提供することである。
【課題を解決するための手段】
【０００５】
本発明にかかる止血時緊迫解除装置は、予め所望の圧力で流体を封止した流体バッグと、流体バッグを止血の為に人体に押し付けて緊迫状態としてから所望の時間経過後に、開閉弁の電気的開閉制御に寄らず、流体バッグの流体封止状態を解除することで緊迫状態を解除するものであって、流体バッグから流体を外気に漏らすための流体漏洩手段と、を有するものである。
以下、請求項に沿って記述する。
【０００６】
請求項１記載の発明は、止血時緊迫解除装置であって、
予め所望の圧力で流体を封止した流体バッグと、前記流体バッグを止血の為に人体に押し付けて緊迫状態としてから所望の時間経過後に、開閉弁の電気的開閉制御に寄らず、前記流体バッグの流体封止状態を解除することで前記緊迫状態を解除するものであって、
前記流体バッグから前記流体を外気に漏らすための流体漏洩手段と、を有することを特徴とする。
【０００７】
請求項２記載の発明は、請求項１記載の止血時緊迫解除装置において、
前記流体バッグは封止部を有し、前記封止部は、
通常の外気温度よりは高い温度で融解する材料の封止膜と、
前記封止膜の上に被せられ、前記流体が通過する穴を備え、かつ、酸化により温度が上昇する材料で形成された酸化昇温膜と、
前記酸化昇温膜の上に被せられ、空気を遮断する（通さない）気密性膜と、
を備えたことで、
使用時に、前記気密性膜を剥がすと、前記酸化昇温膜が空気が触れて、前記酸化が始まり、前記酸化昇温膜が次第に昇温し、所望の時間が経過したところで、前記酸化昇温膜の温度、従って、前記酸化昇温膜に接触した前記封止膜が融解するほどの高温になることで、前記所望の時間経過後に前記封止膜が融解し、前記流体は漏洩し、前記緊迫状態の解除を可能としたことを特徴とする。
【０００８】
請求項３記載の発明は、請求項１記載の止血時緊迫解除装置において、
前記流体漏洩手段は、前記所望の時間を計時するタイマーと、前記タイマーで駆動されたアームと、前記アーム又は前記アームに接続した部分又は及び前記流体バッグに備えて、前記タイマーによる前記所望の時間経過後に前記流体バッグの前記流体封止状態を解除する手段と、
を備えたことを特徴とする。
【０００９】
請求項４記載の発明は、請求項３記載の止血時緊迫解除装置において、
前記流体封止状態を解除する手段は、前記アーム又は前記アームに接続した部分に備えた前記流体バッグを突き破る針であることを特徴とする。
【００１０】
請求項５記載の発明は、請求項３記載の止血時緊迫解除装置において、
前記流体封止状態を解除する手段は、前記アーム又は前記アームに接続した部分に備えた第一磁石と、
外気側に第二磁石と、第二磁石に繋がり、第二磁石の動きとともに動き、前記流体バッグに開いた穴を開閉する閉鎖板と、第一磁石と第二磁石の間の反発力又は吸引力が前記閉鎖板を付勢する第二付勢体の付勢力に勝ることで、第一磁石と第二磁石が近い位置に来たときに前記閉鎖板が動き、前記流体バッグの前記流体が漏洩することを特徴とする。
【００１１】
請求項６記載の発明は、請求項３記載の止血時緊迫解除装置において、
前記流体封止状態を解除する手段は、前記流体バッグに備え、通常の外気温度よりは高い温度で融解する材料の封止膜と、前記封止膜が融解する温度以上に加熱され前記アーム又は前記アームに接続した部分に備えた鏝と、を備え、前記鏝が接触すると前記封止膜が融解して破れ、前記流体が漏洩することを特徴とする。
【００１２】
請求項７記載の発明は、請求項１から請求項６のいずれか１つに記載の止血時緊迫解除装置において、
前記流体バッグは、前記流体を収納する複数の独立した袋を備えることで、一部の袋のみの前記流体の漏洩を可能としたことを特徴とする。
【００１３】
請求項８記載の発明は、請求項１、請求項３、請求項４、請求項５、請求項７のいずれか１つに記載の止血時緊迫解除装置において、
前記流体バッグの上面、又は及び下面に、使用者の生体との接触に応じて形状が変形する程度の固さを有する第一の形状保持膜を備えたことを特徴とする。
【００１４】
請求項９記載の発明は、請求項２又は請求項６に記載の止血時緊迫解除装置において、
前記流体バッグの上面、又は及び下面に、使用者の生体との接触に応じて形状が変形する程度の固さを有し、断熱機能を有することで、熱を人体に伝えない第二の形状保持膜を備えたことを特徴とする。
【発明の効果】
【００１５】
以上の様に構成されているので、本発明による止血時緊迫解除装置では、圧力調整弁、調整コックや圧力制御系を用いない簡単、且つ安価な構成でも、所定時間後に止血時緊迫解除が可能とすることで、忘れ放置の不具合を改善するが可能となる。
【図面の簡単な説明】
【００１６】
【図１】本発明にかかる止血時緊迫解除装置の一実施態様を示す図である。
【図２】本発明にかかる止血時緊迫解除装置の別の一実施態様を示す図である。
【図３】本発明にかかる止血時緊迫解除装置の流体バッグの一実施態様を示す図である。
【図４】本発明にかかる止血時緊迫解除装置の他の一実施態様を示す図である。
【図５】本発明にかかる止血時緊迫解除装置の流体バッグの他の一実施態様を示す図である。
【図６】本発明にかかる止血時緊迫解除装置の流体バッグの他の一実施態様を示す図である。
【図７】従来の止血装置の例を示す図である。
【発明を実施するための形態】
【００１７】
本発明にかかる止血時緊迫解除装置は、予め所望の圧力で流体を封止した流体バッグと、所望の時間経過後に、開閉弁の電気的開閉制御に寄らず、流体バッグの流体封止状態を解除する手段を用いて、流体バッグから流体を外気に漏らし、緊迫状態を解除するための流体漏洩手段とを有する。尚、ここで、流体の内、液体も使用可能であるが、外気に漏らすときは相応しくない。気体は、毒性や環境上問題が無い気体が使用できるが、空気が一番安価かつ問題なく使用できる。
以下図に沿って説明する。
【００１８】
図１は、本発明にかかる止血時緊迫解除装置の一実施態様を示す図である。
１−Ａは、横断面図を、１−Ｂは、流体バッグを除く止血時緊迫解除装置の斜視図を示している。流体バッグ１１０は、予め所望の圧力で流体を封止した流体バッグである。流体漏洩手段１２０は、この例では、所望の時間を計時するタイマー１２１（機械的タイマーが好都合であるが、こだわらない。電気的タイマーでは、電池が消耗して不動作の恐れがあることに注意しなければならない）と、タイマー１２１で駆動されたアーム１２２とアーム１２２又はそれに接続した部分に備えて、所望の時間後に流体バッグ１１０を破る針１２３を備える。この図では、アーム１２２は、タイマー１２１の外筐体１２１Ａに固定され、外筐体１２１Ａは、内筐体１２１Ｂに対して、時間とともに回転するものであるが、これにこだわらない。内筐体１２１Ｂに、流体バッグ１１０を押える固定板１２４が付いている。断面図で見るように、タイマー１２１の外筐体１２１Ａを内筐体１２１Ｂに対して回して、所望の時間を設定したのち、人体１３０の上に置いたガーゼ１４０の上に流体バッグ１１０と流体漏洩手段１２０を置き、図示されない帯により固定板１２４ごと適度な圧力で緊迫する。タイマー１２１の外筐体１２１Ａが、内筐体１２１Ｂに対して、時間とともに回転し、所望の時間経過したところで、針１２３が流体バッグ１１０の直上にくる。このとき、図の矢印で示すように、アーム１２２に付いた針支持体１２５が、バネなどの第一付勢体１２６の駆動により固定板１２４に開いた第一穴１２７に嵌って、落ちるため、針１２３が固定板１２４に開いた第二穴１２８を介して緊迫した流体バッグ１１０を刺し、破れて流体は外気に漏れる。このため、帯による緊迫が有っても、流体バッグ１１０が縮小したため、緊迫状態が解除される。
【００１９】
図２は、本発明にかかる止血時緊迫解除装置の別の一実施態様を示す図である。
図１との違いを述べると、針１２３部は、代りに第一磁石２１０が付いている。対応するように、流体バッグ１１０には、対応位置に弁２２０があり、弁２２０は、内側の閉鎖板２２１とこれに繋がり、外気側に第二磁石２３０がある。弁２２０は通常、閉鎖板２２１がバネ等の第二付勢体２２２により弱く付勢されている。弱くとは、第一磁石２１０が第二磁石２３０の上に来たときは、磁石同士の反発力が第二付勢体２２２の付勢力に勝るということである。そのため、閉鎖板２２１が動き、流体バッグ１１０の流体は漏洩する。勿論、弁２２０の構成により、磁石同士の吸着力を利用することもできる。２−Ａに対応して、上記の説明では、２−Ｂの流体バッグ１１０について述べた。２−Ｃの流体バッグ１１０においては、弁２２０が流体バッグ１１０の横についている。そのため、第二磁石２３０の移動は横方向になる。それに対応して、第一磁石２１０部は、２−Ｄにようになり、第一磁石２１０部は、固定板１２４の下側にくるようにするため、第一磁石２１０部の支持体の形状に対応して、固定板１２４は一点鎖線のように切れ目１２９をいれて、第一磁石２１０部の支持体が移動時に回転できるようにしてある。
図１の場合に比べて、流体バッグ１１０が、弁２２０の部分が付いたので、少し高価になるが、予め流体が封止されているので、電気的制御弁も使わずまだ低額である。
【００２０】
図３は、本発明にかかる止血時緊迫解除装置の流体バッグの一実施態様を示す図である。
流体バッグ１１０は、予め流体が封止されている。封止部は、通常の外気温度よりは高い温度で融解する材料の封止膜３１０で形成され、従って、図１での流体漏洩手段１２０の針１２３の代わりに、封止膜３１０が融解する温度以上に加熱された小さな鏝３２０になっている。鏝３２０が接触すると封止膜３１０は、融解して破れ、流体が漏洩する。鏝３２０には、電気抵抗に通電による加熱の場合は電源が必要だが、鏝３２０に巻かれた第一粉末の膜の酸化による温度上昇を使用前に行う手段を用いると電源は不要となる。
【００２１】
図４は、本発明にかかる止血時緊迫解除装置の他の一実施態様を示す図である。
図１から図３までは、流体の漏洩まで所望の時間を作ることにタイマーを用いて、所望の時間後に、タイマーにより流体封止状態を解除する手段により流体を漏洩した。
図４は、さらに簡便な構成にしたものである。流体バッグ１１０を封止した弁は、流体封止状態を解除する手段をそれ自体に有する解除誘発弁４１０になっている。流体バッグ１１０が予め流体が封止されている。封止部は、通常の外気温度よりは高い温度で融解する材料の封止膜３１０で形成され、その上を酸化により温度が上昇する材料で流体が通過する程度の穴の開いた酸化昇温膜４１１が被せられ、更にその上を空気を遮断する（通さない）気密性膜４１２が覆っている。使用時に、気密性膜４１２を剥がすと、酸化昇温膜４１１が空気が触れて、酸化が始まり、酸化昇温膜４１１は次第に昇温する。所望の時間が経過したところで、温度が封止膜３１０が融解するほどの高温になるため、封止膜３１０が融解し、流体は漏洩することになる。所望の時間は、封止膜３１０の融解特性、酸化昇温膜４１１の昇温特性を変えることで設定できる。
【００２２】
図５は、本発明にかかる止血時緊迫解除装置の流体バッグの他の一実施態様を示す図である。図１から図４までの流体バッグ１１０は、袋が１袋の例で説明したが、図５では、袋が独立した２袋の例を示している。例えば、図１の場合は、針１２３で破られるのは、１袋だけになるため、他の袋は破られず、流体の漏洩は１つの袋のみとなる。
【００２３】
図６は、本発明にかかる止血時緊迫解除装置の流体バッグの他の一実施態様を示す図である。図１から図５では流体バッグ１１０は、流体を入れる袋自体のみの構成だったが、袋を接触させる生体の形状に応じて変形する程度の固さを有する形状保持膜６１０を袋の上面、又は及び下面に備えた構成を示す。こうすると、袋自体のみの場合に比べて、流体バッグ１１０の上面又は及び下面を平面形状を有するように構成することができる。
又、この形状保持膜６１０をガーゼ代わりになる膜とすれば、ガーゼを別に付ける手間が省け、好都合なものとなる。
また、形状保持膜６１０に断熱機能を付加すると、熱を人体に伝えないで済む。
【産業上の利用可能性】
【００２４】
以上のように本発明に止血時緊迫解除装置は、圧力調整弁、調整コックや圧力制御系を用いない簡単、且つ安価な構成でも、所定時間後に止血時緊迫解除が可能とすることで、忘れ放置の不具合を改善するので、産業上利用して極めて好都合である。
【００２５】
１００  止血時緊迫解除装置
１１０  流体バッグ
１２０  流体漏洩手段
１２１  タイマー
１２１Ａ  外筐体
１２１Ｂ  内筐体
１２２  アーム
１２３  針
１２４  固定板
１２５  針支持体
１２６  第一付勢体
１２７  第一穴
１２８  第二穴
１２９  切れ目
１３０  人体
１４０  ガーゼ
２１０  第一磁石
２２０  弁
２２１  閉鎖板
２２２  第二付勢体
２３０  第二磁石
３１０  封止膜
３２０  鏝
４１０  解除誘発弁
４１１  酸化昇温膜
４１２  気密性膜
６１０  形状保持膜
【図１】
2018153448.tif 000003
【図２】
2018153448.tif 000004
【図３】
2018153448.tif 000005
【図４】
2018153448.tif 000006
【図５】
2018153448.tif 000007
【図６】
2018153448.tif 000008
【図７】
2018153448.tif 000009